(57)【特許請求の範囲】
【請求項１】
所要長さの縦幅と横幅と高さの有底の芝類育成床函体であって、その底板部の下面に、屋上の敷設面より上方に前記底板部を支持するスペーサーが配備され、反対の底板部の上面の内底面には所要に区画する上面区画リブが形成され、該上面区画リブにより構成される各上面区画に通気・保水土が収容されると共に、前記底板部の上面の内底面に水を排水する水抜き孔が設けられ、前記上面区画リブの上端面には、上下に重合する目の細かい網布とやや目の荒い合成樹脂網板により支持されて芝類育成主体土が、通気・保水土の上方に所要の空間部を構成して敷設配備されてなる屋上緑化用芝類育成床函体装置において、前記上下に重合する目の細かい網布とやや目の荒い合成樹脂網板を上面区画リブの上端面に形成された網止め突起に嵌合支持されてなる屋上緑化用芝類育成床函体装置。
【請求項２】
前記芝類育成床函体の周壁上縁が外側に折曲されて額縁に形成され、その額縁の上面にピン係止孔が所要複数箇所に設けられ、ピン係止孔に嵌入する係止ピンにより植え込み、芝類を貫通して芝類育成函体に固定されてなる請求項１の屋上緑化用芝類育成床函体装置。
【請求項３】
前記芝類育成床函体の額縁には連結用掛溝が所要複数、所定箇所に設けられ、芝類育成床函体が屋上に並べられたとき、連結用掛止駒が隣り合う芝類育成床函体の額縁の互いに対応する連結用掛溝に嵌合されて連結されてなる請求項２の屋上緑化用芝類育成床函体装置。
【請求項４】
前記芝類育成床函体が屋上に並べられたとき、隣り合う芝類育成床函体の額縁の互いに対応する対応部が加熱溶着されて連結されてなる請求項２または請求項３の屋上緑化用芝類育成床函体装置。
【発明の詳細な説明】
【０００１】
【発明が属する技術分野】
この発明は、主として平坦な屋上等を利用して芝類を植え緑化を可能とする屋上緑化用芝類育成床函体装置に関する。
【０００２】
【従来の技術】
従来、建造物の屋上の緑化には、屋上に大量の土壌を敷設し、この土壌に植物を育成している。
【０００３】
【発明が解決しようとする課題】
しかるに、前述のように、屋上に大量の土壌を敷設することは、重量上の問題と防水上の問題がある。
【０００４】
そこで、この発明は、乾燥と日照りに強く、しかも軽量である芝類を、合成樹脂ゲルと天然土と混合土を用いることの可能な育成床函体で、乾燥と日照りに強く、しかも軽量である芝類を育成し、もって屋上の緑化に寄与しようとするものである。
【０００５】
【課題を解決するための手段】
所要長さの縦幅と横幅と高さの有底の芝類育成床函体であって、その底板部の下面に、屋上の敷設面より上方に前記底板部を支持するスペーサーが配備され、反対の底板部の上面の内底面には所要に区画する上面区画リブが形成され、該上面区画リブにより構成される各上面区画に通気・保水土が収容されると共に、前記底板部の上面の内底面に水を排水する水抜き孔が設けられ、前記上面区画リブの上端面には、上下に重合する目の細かい網布とやや目の荒い合成樹脂網板により支持されて芝類育成主体土が、通気・保水土の上方に所要の空間部を構成して敷設配備されてなる屋上緑化用芝類育成床函体装置において、前記上下に重合する目の細かい網布とやや目の荒い合成樹脂網板を上面区画リブの上端面に形成された網止め突起に嵌合支持されてなる屋上緑化用芝類育成床函体装置にある。
【０００６】
前記芝類育成床函体の周壁上縁が外側に折曲されて額縁に形成され、その額縁の上面にピン係止孔が所要複数箇所に設けられ、ピン係止孔に嵌入する係止ピンにより植え込み、芝類を貫通して芝類育成函体に固定される構成にしてもよいものである。
【０００７】
前記芝類育成床函体の額縁には連結用掛溝が所要複数、所定箇所に設けられ、芝類育成床函体が屋上に並べられたとき、連結用掛止駒が隣り合う芝類育成床函体の額縁の互いに対応する連結用掛溝に嵌合されて連結される構成にしてもよいものである。
【０００８】
前記芝類育成床函体が屋上に並べられたとき、隣り合う芝類育成床函体の額縁の互いに対応する対応部が加熱溶着されて連結される構成にしてもよいものである。
【０００９】
【発明の実施の形態】
合成樹脂材を射出成型して、所要長さの縦幅と横幅と高さの有底の函体であって、その底板部１ａは下縁１ａ１より上方の上底に形成され、底板部１ａの内底面は、格子状の上面区画リブ２が隆設されると共に、その格子状の上面区画リブ２で各区画された上面区画２ａの底板部１ａの上面の内底面に水抜き孔３が開口され、前記底板部１ａの下面は上方からの重量を支えるため、同じく上面の格子上の上面区画リブ２と対応して格子状の下面区画リブ４が下方に隆設され、かつその格子状の下面区画リブ４には、下面区画リブ４で区画される下面区画４ａ内の水を流す水流し用横溝５ａが設けられ、前記上面区画リブ２の上端面３ａには、網止め突起６が所要の間隔で設けられて芝類育成床函体１が構成され、この芝類育成床函体１に天然乾燥済みの鹿沼土等の保水性の高い天然土で構成される保水土７を入れ、底板部１ａの上面の上面区画リブ２で区画された上面区画２ａ内に敷く、その天然乾燥済みの鹿沼土の通気・保水土７の高さは、上面区画リブ２の高さより若干低い程度とし、その上に、合成樹脂材を押出し成型したやや目の荒いトリカヒシメネット（ポリエチレン）合成樹脂網板８を屋上緑化用芝類育成床函体１の内壁面に合わせて敷き、このとき合成樹脂網板８の網目８ａに網止め突起６に嵌合して係止する。次に、その合成樹脂網板８の上に、目の細かい寒冷紗（ポリエチレン）網布９を、同じく、その周縁を芝類育成床函体１の内壁面に合わせ、またその網布９の網目９ａを拡開して前記網止め突起６に同じく係止し、もって、上面区画リブ２の上に、やや目の荒い合成樹脂網板８と目の細かい網布９を二重に敷設し、そして、容積比で赤玉土６０％、砂４０の混合土に対してして重量比で５％の合成樹脂製吸水ゲルを混合して混合土１０を構成し、この混合土１０を芝類育成床函体１内に、所要の厚さ敷土し、その上にさらに少量の野菜育苗培土１１を敷土し、その上に切り芝類１３を植え込み、この植え込み時に、係止ピン１５を切り芝類１３に貫通した後、芝類育成床函体１の周壁上縁が外側に折曲された額縁１ｃの上面の所要複数箇所に開口したピン係止孔１４に、係止ピン１５の先端を差し込み、切り芝類１３の上面側を係止ピン１５の頭部１５ｂで支え、切り芝類１３を芝類育成床函体１に固定し、芝類育成床函体１を、ポリエステル防水シート１９を屋上の一面に張ってから配列してなる屋上緑化用芝類育成床函体装置。
【００１０】
【実施例】
以下、この発明の屋上緑化用芝類育成床函体装置の主要部となる芝類育成床函体１を図面に示す実施例により説明すると、この芝類育成床函体１は、合成樹脂材を射出成型して、所要長さの縦幅と横幅と高さの有底の函体であって、その底板部１ａは下縁１ａ１より上方の上底に形成され、底板部１ａの内底面は、格子状の上面区画リブ２が隆設されると共に、その格子状の上面区画リブ２で各区画された上面区画２ａの底板部１ａの上面の内底面に水抜き孔３が開口される。
【００１１】
前記底板部１ａの下面は上方からの重量を支えるため、同じく上面の格子上の上面区画リブ２と対応して格子状の下面区画リブ４が下方に隆設され、かつその格子状の下面区画リブ４には、下面区画リブ４で区画される下面区画４ａ内の水を流す水流し用横溝５ａが設けられている。また芝類育成床函体１の周側壁部１ｂにおいても、下面区画４ａと連通する水流し用横溝５ｂが設けられている。
【００１２】
前記底板部１ａの下面に格子状の下面区画リブ４が下方に隆設されるのは、その底板部１ａを屋上の敷設面より上方に配置するためのものであるから、リブの形状に限定されるものではなく、単なるスペーサーでもよいものである。その場合は連続しないから、水流し用横溝５ａを設ける必要はないこと勿論である。但し、底板部１ａを薄肉に形成するときには上方の重量を支える強度と、底板部１ａの剛性を確保するために好適な実施例とはなるものである。
【００１３】
先ず、この発明の屋上緑化用芝類育成床函体装置の主要部となる芝類育成床函体１の実施例は、前述のように底板部１ａの内底面が上面区画リブ２に区画されているものを説明するから、その芝類育成床函体１内に、例えば、天然乾燥済みの鹿沼土等の保水性と通気性の高い天然土もしくはその保水性と通気性を具備する人工土、例えば、合成樹脂製吸水ゲル、および合成樹脂製吸水ゲルと通気性資材との混合または混成の人工土で構成される通気・保水土７を入れ、底板部１ａの上面の上面区画リブ２で区画された上面区画２ａ内に敷く、その天然乾燥済みの鹿沼土もしくはその他人工土（合成樹脂ペレット）等の通気・保水土７の高さは、上面区画リブ２の高さに対して低くし、所要の空間が構成される。その上に合成樹脂材で押出成型したやや目の荒いトリカヒシメネット（ポリエチレン）の合成樹脂網板８を、その周縁を芝類育成床函体１の内壁面に合わせて敷く、このとき合成樹脂網板８の網目８ａに網止め突起６に嵌合して係止する。
【００１４】
次に、その合成樹脂網板８の上に、網戸などに使用される合成樹脂製の目の細かい寒冷紗（ポリエチレン）網布９を、同じく、その周縁を芝類育成床函体１の内壁面に合わせ、またその網布９の網目９ａを拡開して前記網止め突起６に同じく係止し、もって、上面区画リブ２の上に、やや目の荒い合成樹脂網板８と目の細かい網布９が二重に敷設される。図示しないが、やや目の荒い合成樹脂網板８の代わりに、格子状板を配置してもよいものである。この場合は格子状板に網止め突起６を形成することは、必須の条件ではないが、網止め突起６を形成すれば、網布９の弛みまたはずれ止めになる。そして例えば、容積比で赤玉土６０％、砂４０％の混合土に対してして重量比５％の合成樹脂製吸水ゲルを混合して構成した混合土１０を芝類育成床函体１内に、例えば、１５ｍｍの厚さで敷き土され、その上にさらに、例えば、５ｍｍ程度の厚さで野菜育苗培土１１が敷き土されてなる育成主体土１２が構成され、この育成主体土１２の上に切り芝類１３が植え込みされる。勿論、図示しないが、切り芝類１３はロール芝類に変えてもよいものである。また、図７に示すように、種から発芽させて発芽芝類１３ａとしてもようものである。
【００１５】
前記育成主体土１２は、勿論、赤玉土、野菜育苗培土およびその他の土を適宜の割合で混合して構成してもよいものである。また前記芝類とは、例えば、その品種について、寒地型ベントグラスの種類名としてのコロニアルでは代表的品種にハイランドがあり、クリービングでは代表的品種にベンイーグル等があり、種類名としてレッドトップがある。ブルーグラスの種類名としてのケンタッキーブルーグラスでは代表的品種にニューグレード、オデッセイ等があり、種類名としてカナダブルーグラス、ラフストークドメドーグラス、スズメノカタビラがある。フェスキューの種類名としてのクリーピングレッドフェスキューでは代表的品種にベンローン、シンディ等があり、種類名としてチューイングフェスキュー、トールフェスキュー、ターフタイプトールフェスキュー、メドーフフェスキューがある。ライグラス・その他の種類名としてのイタリアンライグラスでは代表的品種に４Ｘスーパー、ワイドイタリアン等があり、種類名としてペレニアルライグラス、オーチャードグラス、チモシーがある。暖地型の品種名としてのバーミューダグラスでは代表的品種にサハラ、プリンセス等があり、種類名としてウィーピングラブグラス、バヒアグラス、カーペットグラス、センチベードグラス、野芝がある。マメ科・その他の品種名としてのホワイトクローバーでは代表的品種にニュージーランド、ラディノ等があり、種類名としてレッドクローバー、バーズフットトレフォイル、ダイコンドラがある。山野種子の品種名としてヤマハンノキ、ヤシャブシ、ニセアカシヤ、イタチハギ、メドハギ、ヤマハギ、エニシダ、カヤ、ヨモギがある。これらの品種から環境、趣向その他の条件で選択されて育成される。
【００１６】
前記芝類育成床函体１の大きさは、適宜であるが、実施例として、前記切り芝類の横幅（長手幅）が、その芝類育成床函体１の短手幅を横断する程度とすると、一度の植え込みで芝類育成床函体１の育成面を覆うこときができる。またこの植え込み時に、芝類育成床函体１の周壁上縁が外側に折曲されて図１〜図１０に示すように、額縁１ｃを形成したときには、その額縁１ｃの上面にピン係止孔１４を、図１０または図１２に示すように、所要複数箇所に設け、先端に係止凸状環１５ａが配備される係止ピン１５を、芝類育成床函体１の適宜個所を選択し、切り芝類１３に貫通した後、係止ピン１５の先端をピン係止孔１４に差し込み、かつ係止凸状環１５ａによりピン係止孔１４に係止め、係止ピン１５の頭部１５ｂで切り芝類１３を支え、切り芝類１３を芝類育成床函体１に固定できるものである。
【００１７】
また芝類育成床函体１の額縁１ｃに連結用係合溝１６を、図１２に示すように、所要複数箇所に設け、芝類育成床函体１を並べたときに、隣り合う芝類育成床函体１の額縁１ｃの対応する連結用係合溝１６に連結用掛止駒１７を嵌合して連結することができる。
【００１８】
また図示しないが、芝類育成床函体１は、屋上に並べたとき、隣り合う芝類育成床函体１の額縁１ｃの互いに対応する対応部を加熱溶着して連結することができるものである。
また図示しないが、芝類育成床函体１は、屋上に並べたとき、屋上に基端が固植されて所要の間隔で配置されたアンカーボルトに固定することも必要である。
【００１９】
芝類育成床函体１は、屋上面１８に配列するとき、先ず防水シート１９を一面に張り、その上に敷設するものである。防水シート１９は、ポリウレタン、ポリエステル、ポリエチレン、等のシート剤を用い、アクリル系を主成分とする合成粘着剤、またはＷフィーズ等で貼り保持して漏水しないようにして、貼付屋上の劣化を防止する。
【００２０】
【発明の効果】
この発明の屋上緑化用芝類育成床函体装置は、以上のようになるから、第１に、芝類を、合成樹脂ゲルと天然土と混合土を用いることの可能な育成床函体で、重量上の問題と防水上の問題がなく、屋上に負担をかけない緑化が可能となるものである。
【００２１】
またこの発明の屋上緑化用芝類育成床函体装置は、第２に、芝類育成床函体の底板部は下縁より上方の上底に形成されるから、育成床函体で行える保水以上の水分を下方に流して育成床函体内の土壌の保水を適度に維持することができる。
【００２２】
第３に、芝類育成床函体の底板部の内底面は、上方の網板との間で、常に空気層を構成しているので育成主体土の成育環境を良好に保持することができるものである。
【００２３】
第４に、芝類育成床函体の底板部の内底面は、格子状の上面区画リブが隆設されると共に、その格子状の上面区画リブで各区画された上面区画の夫々に水抜き孔が開口される場合には、屋上緑化に相応しい面積の芝類育成床函体単体の内部の内底面を細分割し、天然土の鹿沼土などの保水力の高い保水土を区分収容し、床上げ状態で適度の保水能力を発揮させることができる。
【００２４】
第５に、芝類育成床函体の底板部の内底面を区画する上面区画リブの上端面上には、合成樹脂材製のやや目の荒い合成樹脂網板または格子板と、合成樹脂材製の目の細かい網布を二重に敷設しているから、その上には吸水性が飛躍的に高い合成樹脂ゲル、天然土および腐葉土等を混合した育成主体土を収容し、保水土を空気層を中間に上下に区画し、土壌の保水性と通気性を確保し、良好な成育を図ることができるものである。
【００２５】
第６に、芝類育成床函体の周壁上縁が外側に折曲されて額縁に形成され、その額縁の上面にピン係止孔を所要複数箇所に設け、芝類育成床函体の適宜個所を選択し、係止ピンを切り芝類に貫通した後、その先端をピン係止孔に差し込み、係止ピンの頭部で切り芝類を支え、切り芝類を芝類育成床函体に固定できるものであるから、植え込まれた芝類を風により吹き飛ばされることを防止できるものである。
【００２６】
第７に、芝類育成床函体の額縁に連結用係合溝を所要複数箇所に設けている場合には、芝類育成床函体を屋上に並べるときに、隣り合う芝類育成床函体の額縁の対応する連結用係合溝に連結用掛止駒を嵌合して相互に連結することができ、屋上面に芝類育成床函体１を隙間なく一体に敷設することができ、屋上に並べた芝類育成床函体の全体としての防風対策になるものである。
【００２７】
第８に、芝類育成床函体を屋上に並べたとき、隣り合う芝類育成床函体の額縁の互いに対応する対応部を加熱溶着して連結し、同じく、屋上に並べた芝類育成床函体の全体としての防風対策にすることができるものである。
【００２８】
第９に、芝類育成床函体は、屋上面に配列するとき、先ず防水シートを一面に張っているから、屋上の防水対策が完全である。
【図面の簡単な説明】
【図１】  この発明の屋上緑化芝類育成床函体装置に使用する芝類育成床函体単体の実施の一例を示す上面からの斜視図である。
【図２】  同じく、その下面からの斜視図である。
【図３】  同じく、中間の二重床網の一例を示す斜視図である。
【図４】  同じく、図１のＡ−Ａ線に沿う一部拡大断面図である。
【図５】  同じく、芝類育成床函体の内底面を区画した実施例において、保水性と通気性をもつ鹿沼土と赤玉土の混合土を入れた状態の一例を示す部分拡大斜視図である。
【図６】  同じく、中間に二重床網を入れさらに育成主体土を入れた状態の一例を示す部分拡大斜視図である。
【図７】  芝類を種から発芽させた状態の一例を示す一部拡大斜視図である
【図８】  切り芝類を植えた状態を示す一部拡大断面図である
【図９】  屋上にこの発明の芝類育成床函体を連結した状態を示す側面図である。
【図１０】  芝類育成床函体の函内を二分割した実施例を示す斜視図である。
【図１１】  掛止め用ピンの拡大側面図である。
【図１２】  連結用掛止駒により連結できる連結用係合溝を縁枠部に設けた芝類育成床函体単体の実施例を示す斜視図である。
【図１３】  芝類育成床函体を相互に並べて連結できる状態にした部分斜視図である。
【図１４】  連結用掛止駒単体の平面図である。
【図１５】  同じく、連結用掛止駒単体の側面図である。
【符号の説明】
１  芝類育成床函体
１ａ  底板部
１ａ１  下縁
１ｂ  周側壁部
１ｃ  額縁
２  上面区画リブ
２ａ  上面区画
３  水抜き孔
３ａ  上端面
４  下面区画リブ
４ａ  下面区画
５ａ  水流し用横溝
５ｂ  水流し用横溝
６  網止め突起
７  通気・保水土
８  合成樹脂網板
８ａ  網目
９  網布
９ａ  網目
１０  混合土
１１  野菜育苗培土
１２  育成主体土
１３  切り芝類
１３ａ  発芽芝類
１４  ピン係止孔
１５  係止ピン
１５ａ  係止凸状環
１５ｂ  頭部
１６  連結用係合溝
１７  連結用掛止駒
１８  屋上面
１９  防水シート
【図１】
0003924739.tif 000002
【図２】
0003924739.tif 000003
【図３】
0003924739.tif 000004
【図４】
0003924739.tif 000005
【図５】
0003924739.tif 000006
【図６】
0003924739.tif 000007
【図７】
0003924739.tif 000008
【図８】
0003924739.tif 000009
【図９】
0003924739.tif 000010
【図１０】
0003924739.tif 000011
【図１１】
0003924739.tif 000012
【図１２】
0003924739.tif 000013
【図１３】
0003924739.tif 000014
【図１４】
0003924739.tif 000015
【図１５】
0003924739.tif 000016